(57)【要約】      （修正有）【課題】有毒有機物によって汚染された農地の土壌の施肥・成長促進・毒性低減のための統合処理方法及び装置を提供する。【解決手段】汚染土壌をプレ処理し、施肥／成長促進改良剤および毒性低減改良剤によりプレ処理された土壌を修復処理する。修復処理は、１）毒性低減改良剤をプレ処理された有毒有機物によって汚染された農地の土壌に均一に散布し、水を添加しながら十分に攪拌・混合し、同時に土壌の水含有率を５５〜６５％に維持し、均一に混合した後３〜５日間反応させて、１級の処理土壌を得るステップと、２）施肥／成長促進改良剤を１級の処理土壌中に散布し均一に混合して、同時に土壌の水含有率を５５〜６５％に維持し、１５日間放置し、修復処理を完了するステップ。【選択図】なし【特許請求の範囲】
【請求項１】
有毒有機物によって汚染された農地の土壌をプレ処理し、改良剤によりプレ処理された土
壌を修復処理することを含み、
前記改良剤は、施肥／成長促進改良剤および毒性低減改良剤を含み、
前記修復処理は、
１）毒性低減改良剤をプレ処理された有毒有機物によって汚染された農地の土壌に均一に
散布し、水を添加しながら十分に攪拌・混合し、同時に土壌の水含有率を５５〜６５％に
維持し、均一に混合した後３〜５日間反応させて、１級の処理土壌を得るステップと、
２）１級の処理土壌を２次処理し、施肥／成長促進改良剤を１級の処理土壌中に散布し均
一に混合して、同時に土壌の水含有率を５５〜６５％に維持し、１５日間放置し、修復処
理を完了するステップと、
を含むことを特徴とする有毒有機物によって汚染された農地の土壌の施肥・成長促進・毒
性低減のための統合処理方法。
【請求項２】
前記土壌毒性低減改良剤、施肥／成長促進改良剤は、
１）毒性低減改良剤の調製：過酸化カルシウムの重合を低減するように研磨しプレ処理し
て、研磨した１０ｇ過酸化カルシウム、４ｇ硫酸第一鉄七水和物、および３．８ｇシュウ
酸カリウムを混合して毒性低減改良剤を得て、前記毒性低減改良剤を有毒有機汚染土壌の
処理に用いる投与量は、土壌１ｋｇあたり１７．８ｇの毒性低減改良剤を使用するステッ
プと、
２）施肥／成長促進改良剤の調製：天然乾燥ストローを有機材料として使用し、長さ４〜
７ｍｍに粉砕・研磨し、５ｇストロー、０．８９５ｇ窒素、リン、カリウム肥料および０
．１１ｇ尿素を混合して施肥／成長促進改良剤を得て、前記窒素、リン、カリウム肥料中
の各元素の比率は、Ｎ：Ｐ２Ｏ５：Ｋ２Ｏ＝１５：１５：１５であり、前記尿素中の各元
素の比率は、Ｎ：Ｐ２Ｏ５：Ｋ２Ｏ＝２：１：１であり、前記施肥／成長促進改良剤を有
毒有機汚染土壌の処理に用いる投与量は、土壌１ｋｇあたり６．０１ｇ施肥／成長促進改
良剤を使用するステップと、
含む調製方法によって調製されることを特徴とする請求項１に記載の処理方法。
【請求項３】
前記プレ処理は、有毒有機物によって汚染された農地の土壌を整地し、４ｍｍ以上の粒子
径の土壌を破壊し、７〜２０ｃｍの表層土壌を深耕し、土壌中の石、植物またはその残留
物を除去することを含む、ことを特徴とする請求項１に記載の処理方法。
【請求項４】
請求項１〜３のいずれか１項に記載の方法を使用する装置であって、
機器キャビティ（１）と、給料用の給料装置（２）と、機器キャビティ（１）の内部に取
り付けられ攪拌用の現場攪拌装置（３）とを含み、
前記現場攪拌装置（３）は、機器キャビティ（１）の底端に取り付けられたスライドレー
ル（３１）、スライドレール（３１）に取り付けられスライドレール（３１）上を往復移
動する取付ラック（３２）、および取付ラック（３２）に取り付けられた攪拌アセンブリ
（３３）を含み、前記攪拌アセンブリ（３３）は、取付ラック（３２）の両側に取り付け
られた縦方向攪拌アセンブリ（３３１）、および取付ラック（３２）の中央部に取り付け
られた横方向攪拌アセンブリ（３３２）を含む、
ことを特徴とする装置。
【発明の詳細な説明】
【技術分野】
【０００１】
本発明は、土壌処理の技術分野に関し、具体的には、有毒有機物によって汚染された農地
の土壌の施肥・成長促進・毒性低減のための統合処理方法に関する。
【背景技術】
【０００２】
現在、中国の土壌中の有機物汚染はますます深刻化しており、農産物や人間の健康への影
響が顕著になっている。同時に、都市化・工業化の加速に伴い、都市近郊や工業地帯の土
壌の有機汚染が増加しており、工業地帯周辺の土壌中の有機物の中には、中国の基準を数
倍超えているものもある。
【０００３】
農地土壌の有機汚染物質は主に化学農薬であり、農地土壌中の有毒な有機汚染物質を酸化
・修復する際には、修復効果だけでなく、農地土壌の修復による実際の被害も考慮する必
要がある。
【０００４】
従来、有毒な有機汚染物質の酸化除去法は、有機質土壌の修復に一般的に使用されていた
が、土壌修復処理後の栽培が困難であるため、農地土壌の実際の修復には適していない。
そのため、有毒な有機物で汚染された農地の土壌を効果的に修復するためには、農地の土
壌の基本的な性質を維持できる修復方法が急務となっている。
【発明の概要】
【０００５】
本発明の目的は、農地土壌の基本的な特性を維持することができる有毒有機物によって汚
染された農地の土壌の施肥・成長促進・毒性低減のための統合処理方法を提供することで
ある。
【０００６】
本発明の技術的解決策は以下の通りである。有毒有機物によって汚染された農地の土壌の
施肥・成長促進・毒性低減のための統合処理方法は、有毒有機物によって汚染された農地
の土壌をプレ処理し、改良剤によりプレ処理された土壌を修復処理することを含み、
前記改良剤は、施肥／成長促進改良剤および毒性低減改良剤を含み、
前記修復処理は、具体的に、
１）毒性低減改良剤をプレ処理された有毒有機物によって汚染された農地の土壌に均一に
散布し、水を添加しながら十分に攪拌・混合し、同時に土壌の水含有率を５５〜６５％に
維持し、均一に混合した後３〜５日間反応し、１級の処理土壌を得るステップと、
２）１級の処理土壌を２次処理し、施肥／成長促進改良剤を１級の処理土壌中に散布し均
一に混合して、同時に土壌の水含有率を５５〜６５％に維持し、１５日間放置し、修復処
理を完了するステップと、を含む。
【０００７】
本発明の一態様として、前記土壌毒性低減改良剤、施肥／成長促進改良剤は以下の調製方
法によって調製される：
１）毒性低減改良剤の調製：過酸化カルシウムをその重合を低減するように研磨しプレ処
理して、研磨した１０ｇ過酸化カルシウム、４ｇ硫酸第一鉄七水和物、および３．８ｇシ
ュウ酸カリウムを混合して毒性低減改良剤を得、前記毒性低減改良剤を有毒有機汚染土壌
の処理に用いる場合の投与量は、土壌１ｋｇあたり１７．８ｇの毒性低減改良剤を使用す
る、
２）施肥／成長促進改良剤の調製：天然乾燥ストローを有機材料として使用し、長さ４〜
７ｍｍに粉砕・研磨し、５ｇストロー、０．８９５ｇ窒素、リン、カリウム肥料および０
．１１ｇ尿素を混合して施肥／成長促進改良剤を得、そのうち、前記窒素、リン、カリウ
ム肥料中の各元素の比率は、Ｎ：Ｐ２Ｏ５：Ｋ２Ｏ＝１５：１５：１５であり、前記尿素
中の各元素の比率は、Ｎ：Ｐ２Ｏ５：Ｋ２Ｏ＝２：１：１であり、前記施肥／成長促進改
良剤を有毒有機汚染土壌の処理に用いる場合の投与量は、土壌１ｋｇあたり６．０１ｇ施
肥／成長促進改良剤を使用する、
施肥／成長促進改良剤および毒性低減改良剤を併用して土壌中の有毒有機物を除去する同
時に農地を効果的に施肥・成長促進して、後の農地の利用および作物の植栽に役立つ。
【０００８】
本発明の一態様として、前記プレ処理は、具体的に、有毒有機物によって汚染された農地
の土壌を整地し、４ｍｍ以上の粒子径の土壌を破壊し、７〜２０ｃｍの表層土壌を深耕し
、土壌中の石、植物またはその残留物を除去することを含む。
【０００９】
本発明は、有毒有機物によって汚染された農地の土壌の施肥・成長促進・毒性低減統合処
理に使用される装置をさらに提供し、それは、機器キャビティと、給料用の給料装置と、
機器キャビティの内部に取り付けられ攪拌用の現場攪拌装置とを含み、前記現場攪拌装置
は、機器キャビティの底端に取り付けられたスライドレール、スライドレールに取り付け
られスライドレール上を往復移動する取付ラック、および取付ラックに取り付けられた攪
拌アセンブリを含み、前記攪拌アセンブリは、取付ラックの両側に取り付けられた縦方向
攪拌アセンブリ、および取付ラックの中央部に取り付けられた横方向攪拌アセンブリを含
む。
【００１０】
従来技術と比較すると、本発明は以下の有益な効果を有する。本発明の方法全体は、操作
が簡単であり、有毒有機物によって汚染された農地の土壌に対して施肥・成長促進・毒性
低減の統合処理を行い、土壌の修復効果が良く、有毒有機物によって汚染された農地の土
壌中の多環芳香族炭化水素、有機塩素系農薬などの汚染物を効果的に除去できるだけでな
く、処理後の土壌の窒素、リン、カリウムの含有量を効果的に増加でき、農地の基本的な
植栽特性を維持し、後の作物の植栽をより役立つ。
【図面の簡単な説明】
【００１１】
【図１】本発明の装置の分解図である。
【００１２】
［符号の説明］
１          機器キャビティ
２          給料装置
３          攪拌装置
３１        スライドレール
３２        取付ラック
３３        攪拌アセンブリ
３３１      縦方向攪拌アセンブリ
３３２      横方向攪拌アセンブリ
【発明を実施するための形態】
【００１３】
実施例１：有毒有機物によって汚染された農地の土壌の施肥・成長促進・毒性低減のため
の統合処理方法は、有毒有機物によって汚染された農地の土壌をプレ処理し、改良剤によ
りプレ処理された土壌を修復処理することを含み、プレ処理は、具体的に、有毒有機物に
よって汚染された農地の土壌を整地し、４ｍｍ以上の粒子径の土壌を破壊し、２０ｃｍの
表層土壌を深耕し、土壌中の石、植物またはその残留物を除去することを含み、
改良剤は、施肥／成長促進改良剤および毒性低減改良剤を含み、
修復処理は具体的に、
１）毒性低減改良剤をプレ処理された有毒有機物によって汚染された農地の土壌に均一に
散布し、水を添加しながら十分に攪拌・混合し、同時に土壌の水含有率を５５％に維持し
、均一に混合した後３日間反応し、１級の処理土壌を得るステップと、
２）１級の処理土壌を２次処理し、施肥／成長促進改良剤を１級の処理土壌中に散布し均
一に混合して、同時に土壌の水含有率を５５％に維持し、１５日間放置し、修復処理を完
了するステップと、を含む。
【００１４】
本発明の一態様として、土壌毒性低減改良剤、施肥／成長促進改良剤は、以下の調製方法
によって調製される：
１）毒性低減改良剤の調製：過酸化カルシウムをその重合を低減するように研磨しプレ処
理して、研磨した１０ｇ過酸化カルシウム、４ｇ硫酸第一鉄七水和物、および３．８ｇシ
ュウ酸カリウムを混合して毒性低減改良剤を得、毒性低減改良剤を有毒有機汚染土壌の処
理に用いる場合の投与量は、土壌１ｋｇあたり１７．８ｇの毒性低減改良剤を使用する、
１）施肥／成長促進改良剤の調製：天然乾燥ストローを有機材料として使用し、長さ５ｍ
ｍに粉砕・研磨し、５ｇストロー、０．８９５ｇ窒素、リン、カリウム肥料および０．１
１ｇ尿素を混合して施肥／成長促進改良剤を得、そのうち、窒素、リン、カリウム肥料中
の各元素の比率は、Ｎ：Ｐ２Ｏ５：Ｋ２Ｏ＝１５：１５：１５であり、尿素中の各元素の
比率は、Ｎ：Ｐ２Ｏ５：Ｋ２Ｏ＝２：１：１であり、施肥／成長促進改良剤を有毒有機汚
染土壌の処理に用いる場合の投与量は、土壌１ｋｇあたり６．０１ｇ施肥／成長促進改良
剤を使用する。
【００１５】
図１に示される本実施例で使用される装置は、機器キャビティ１と、給料用の給料装置２
と、機器キャビティ１の内部に取り付けられ攪拌用の現場攪拌装置３とを含み、現場攪拌
装置３は、機器キャビティ１の底端に取り付けられたスライドレール３１、スライドレー
ル３１に取り付けられスライドレール３１上を往復移動する取付ラック３２、および取付
ラック３２に取り付けられた攪拌アセンブリ３３を含み、攪拌アセンブリ３３は、取付ラ
ック３２の両側に取り付けられた縦方向攪拌アセンブリ３３１、および取付ラック３２の
中央部に取り付けられた横方向攪拌アセンブリ３３２を含む。
【００１６】
実施例２：実施例１と異なり、有毒有機物によって汚染された農地の土壌の施肥・成長促
進・毒性低減のための統合処理方法は、有毒有機物によって汚染された農地の土壌をプレ
処理し、改良剤によりプレ処理された土壌を修復処理することを含み、プレ処理は、具体
的に、有毒有機物によって汚染された農地の土壌を整地し、４ｍｍ以上の粒子径の土壌を
破壊し、１５ｃｍの表層土壌を深耕し、土壌中の石、植物またはその残留物を除去するこ
とを含み、
改良剤は、施肥／成長促進改良剤および毒性低減改良剤を含み、
修復処理は具体的に、
１）毒性低減改良剤をプレ処理された有毒有機物によって汚染された農地の土壌に均一に
散布し、水を添加しながら十分に攪拌・混合し、同時に土壌の水含有率を６０％に維持し
、均一に混合した後４日間反応し、１級の処理土壌を得るステップと、
２）１級の処理土壌を２次処理し、施肥／成長促進改良剤を１級の処理土壌中に散布し均
一に混合して、同時に土壌の水含有率を６０％に維持し、１５日間放置し、修復処理を完
了するステップと、を含む。
【００１７】
実施例３：実施例１と異なり、有毒有機物によって汚染された農地の土壌の施肥・成長促
進・毒性低減のための統合処理方法は、有毒有機物によって汚染された農地の土壌をプレ
処理し、改良剤によりプレ処理された土壌を修復処理することを含み、プレ処理は、具体
的に、有毒有機物によって汚染された農地の土壌を整地し、４ｍｍ以上の粒子径の土壌を
破壊し、２０ｃｍの表層土壌を深耕し、土壌中の石、植物またはその残留物を除去するこ
とを含み、
改良剤は、施肥／成長促進改良剤および毒性低減改良剤を含み、
修復処理は具体的に、
１）毒性低減改良剤をプレ処理された有毒有機物によって汚染された農地の土壌に均一に
散布し、水を添加しながら十分に攪拌・混合し、同時に土壌の水含有率を６５％に維持し
、均一に混合した後５日間反応し、１級の処理土壌を得るステップと、
２）１級の処理土壌を２次処理し、施肥／成長促進改良剤を１級の処理土壌中に散布し均
一に混合して、同時に土壌の水含有率を６５％に維持し、１５日間放置し、修復処理を完
了するステップと、を含む。
実施例２の方法に従い、１６組の実際の処理試験を実施し、処理操作のパラメータは表１
に示される。
2022001633.tif 000002
理論的には、毒性低減改良剤が多いほど、土壌中の汚染物の除去率が高くなり、肥料およ
び尿素の添加量が多いほど、統合処理後の土壌の総窒素、リン、カリウム含有量および植
物生体重が高くなる。
上記の方法により１６組の試験土壌を統合修復した後、土壌の有機物、ｐＨ値、総窒素、
リン、カリウム含有量に対する影響が表２に示される：
表２：異なる処理の土壌有機物、ｐＨ値、総窒素、リン、カリウム含有量に対する影響
2022001633.tif 000003
【００１８】
実施例４：有毒有機物によって汚染された農地の土壌の施肥・成長促進・毒性低減のため
の統合処理方法は、有毒有機物によって汚染された農地の土壌をプレ処理し、改良剤によ
りプレ処理された土壌を修復処理することを含み、
改良剤は、施肥改良剤、成長促進改良剤および毒性低減改良剤を含み、
プレ処理方法として、有毒有機物によって汚染された農地の土壌を収集し、土壌中の石、
乾燥した枝と落ち葉を除去し、風乾後２ｍｍのふるいを通過させ、機械的に混合し、その
内、風乾後の土壌水分含有量を０．３％に制御する。
修復処理方法として、具体的には、
１）プレ処理された有毒有機物によって汚染された農地の土壌と毒性低減改良剤を１ｋｇ
：３ｇの質量比で混合し、混合しながら水を添加して初回の加湿処理を行い混合物の水分
含有量が７％に達するようにして、均一に混合した後３ｈ静置し、密封し３日間放置して
、１級の処理土壌を得、その内、毒性低減改良剤として、複合接種物とフミン酸を１：１
の質量比で混合し、複合接種物は具体的にＣＭ複合細菌であり、
２）１級の処理土壌を２次加湿処理して、１級の処理土壌の水分含有量が２５％に達する
ようにして、その後５ｇ／ｋｇの質量比で施肥／成長促進改良剤を投入し、均一に混合し
、密封して２５℃の温度で３日間放置し、２級処理土壌を得る、
３）２級処理土壌を３次加湿処理して、２級処理土壌の水分含有量が３５％に達するよう
にして、その後５ｇ／ｋｇの質量比で再び施肥／成長促進改良剤を投入し、均一に混合し
て、土壌を２５分直流処理してから、５５℃に昇温し、土壌の水分含有量が１５％に達す
るようにして、３ｇ／ｋｇの質量比で再び毒性低減改良剤を投入し、均一に混合し、密封
して２日間放置し、修復処理を完了する、
その内、上記施肥／成長促進改良剤はリン酸マグネシウムカルシウム肥料である。
【００１９】
実施例５：有毒有機物によって汚染された農地の土壌の施肥・成長促進・毒性低減のため
の統合処理方法は、有毒有機物によって汚染された農地の土壌をプレ処理し、改良剤によ
りプレ処理された土壌を修復処理することを含み、
改良剤は、施肥改良剤、成長促進改良剤および毒性低減改良剤を含み、
修復処理方法として、具体的には、
１）プレ処理された有毒有機物によって汚染された農地の土壌と毒性低減改良剤を１ｋｇ
：４ｇの質量比で混合し、混合しながら水を添加して初回の加湿処理を行い混合物の水分
含有量が１０％に達するようにして、均一に混合した後１０時間静置し、密封して４日間
放置し、１級の処理土壌を得、その内、毒性低減改良剤は複合接種物とフミン酸を２：１
の質量比で混合したものである、
２）１級の処理土壌を２次加湿処理し、１級の処理土壌の水分含有量が３０％に達するよ
うにして、その後６ｇ／ｋｇの質量比で施肥／成長促進改良剤を投入し、均一に混合し、
密封して２５℃の温度で５日間放置し、２級処理土壌を得る、
３）２級処理土壌を３次加湿処理し、２級処理土壌の水分含有量が３８％に達するように
して、その後７ｇ／ｋｇで再び施肥／成長促進改良剤を投入し、均一に混合し、そして土
壌を３５分直流処理して、５８℃に昇温し、土壌の水分含有量が１８％に達するようにし
て、４ｇ／ｋｇの質量比で再び毒性低減改良剤を投入し、均一に混合し、密封して２日間
放置し、修復処理を完了する、
その内、施肥／成長促進改良剤はリン酸マグネシウムカルシウム肥料である。
【００２０】
実施例６：有毒有機物によって汚染された農地の土壌の施肥・成長促進・毒性低減のため
の統合処理は、有毒有機物によって汚染された農地の土壌をプレ処理し、改良剤によりプ
レ処理された土壌を修復処理することを含み、
改良剤は、施肥改良剤、成長促進改良剤および毒性低減改良剤を含み、
修復処理方法として、具体的には、
１）プレ処理された有毒有機物によって汚染された農地の土壌と毒性低減改良剤を１ｋｇ
：７ｇの質量比で混合し、混合しながら水を添加して初回の加湿処理を行い混合物の水分
含有量が７％に達するようにして、均一に混合した後１５時間静置し、密封して５日間放
置し、１級の処理土壌を得、その内、毒性低減改良剤は複合接種物とフミン酸を２：１の
質量比で混合したものであり、その内、複合接種物は具体的にＣＭ複合細菌である、
２）１級の処理土壌を２次加湿処理し、１級の処理土壌の水分含有量が３３％に達するよ
うにして、その後８ｇ／ｋｇの質量比で施肥／成長促進改良剤を投入し、均一に混合し、
密封して３７℃の温度で７日間放置し、２級処理土壌を得る、その内、成長促進改良剤は
リン酸マグネシウムカルシウム肥料である、
３）２級処理土壌を３次加湿処理し、２級処理土壌の水分含有量が３５％に達するように
して、その後８ｇ／ｋｇの質量比で再び施肥／成長促進改良剤を投入し、均一に混合し、
その後土壌を４５分直流処理してから６０℃に昇温し、土壌の水分含有量が２０％に達す
るようにして、７ｇ／ｋｇの質量比で再び毒性低減改良剤を投入し、均一に混合し、密封
して３日間放置し、修復処理を完了する、
その内、上記施肥／成長促進改良剤はリン酸マグネシウムカルシウム肥料である。
【００２１】
実施例７：実施例４と異なり、施肥／成長促進改良剤は、ストロー、変性活性炭複合ボー
ル、土壌改良剤から調製され、具体的な調製方法として、
１）変性活性炭複合ボールの調製：木材素材を４５０℃で２時間焼成して活性炭を調製し
、その後カルボキシル化鉄酸化物磁気ナノ粒子と活性炭を０．２：１３５の質量分率で混
合して混合マトリックスを得、次に、混合マトリックスの表面にメチルセルロースの水溶
液をスプレーし、１５分間超音波分散し、純水で２回洗浄し、乾燥して変性活性炭複合ボ
ールを得、その内、メチルセルロースと混合マトリックスの質量比は１：１５０である、
２）施肥／成長促進改良剤の調製：ストロー、変性活性炭複合ボール、土壌改良剤を重量
部で３部、２部、０．３部の比率で混合し、４５℃で攪拌・混合して施肥改良剤を得る。
【００２２】
実施例８：実施例４と異なり、施肥／成長促進改良剤は、ストロー、変性活性炭複合ボー
ル、土壌改良剤から調製され、具体的な調製方法として、
１）変性活性炭複合ボールの調製：木材素材を４８０℃で２．５時間焼成して活性炭を調
製し、その後カルボキシル化鉄酸化物磁気ナノ粒子と活性炭を０．５：１４０の質量分率
で混合して混合マトリックスを得る、次に混合マトリックスの表面にメチルセルロースの
水溶液をスプレーし、１８分間超音波分散し、純水で２回洗浄し、乾燥して変性活性炭複
合ボールを得る、その内、メチルセルロースと混合マトリックスの質量比が１：７５であ
る、
２）施肥／成長促進改良剤の調製：ストロー、変性活性炭複合ボール、土壌改良剤を重量
部で１０部、３部、０．４部の比率で混合し、５０℃で攪拌・混合して施肥／成長促進改
良剤を得る。
【００２３】
実施例９：実施例４と異なり、施肥／成長促進改良剤は、ストロー、変性活性炭複合ボー
ル、土壌改良剤から調製され、具体的な調製方法として、
１）変性活性炭複合ボールの調製：木材素材を５００℃の条件で３時間焼成して活性炭を
調製し、その後カルボキシル化鉄酸化物磁気ナノ粒子と活性炭を０．７：１５０の質量分
率で混合して混合マトリックスを得る、次に、混合マトリックスの表面にメチルセルロー
スの水溶液をスプレーし、２０分間超音波分散し、純水で３回洗浄し、乾燥して変性活性
炭複合ボールを得る、その内、メチルセルロースと混合マトリックスの質量比が３：５０
である、
２）施肥／成長促進改良剤の調製：ストロー、変性活性炭複合ボール、土壌改良剤を重量
部で１３部、５部、０．５部の比率で混合し、５５℃で攪拌・混合して施肥／成長促進改
良剤を得る。
【００２４】
実施例１０：実施例８と異なり、施肥／成長促進改良剤は、バイオガス残留物、石灰、リ
ン酸マグネシウムカルシウム肥料を重量部で４５部、７部、３部の比率で混合して調製さ
れる。
【００２５】
実施例１１：実施例８と異なり、施肥／成長促進改良剤は、バイオガス残留物、石灰、リ
ン酸マグネシウムカルシウム肥料を重量部で６０部、９部、４部の比率で混合して調製さ
れる。
【００２６】
実施例１２：実施例８と異なり、施肥／成長促進改良剤は、バイオガス残留物、石灰、リ
ン酸マグネシウムカルシウム肥料を重量部で７０部、１１部、５部の比率で混合して調製
される。
【００２７】
実施例１３：実施例１１と異なり、毒性低減改良剤は、複合接種物、フミン酸、シユウ酸
ナトリウム、硫酸第一鉄、非イオン性界面活性剤で調製され、具体的な調製方法として、
１）非イオン性界面活性剤、シユウ酸ナトリウム、硫酸第一鉄を重量部で２部、５部、６
部の比率で混合した後水に浸漬し、その後７０ｋＨｚで３０分間超音波処理し、また磁気
撹拌機に置き、５５℃で２時間攪拌して、ミセル液を得る、
２）複合接種物、フミン酸、ミセル液を１５：１２：７３の質量％で混合して、毒性低減
改良剤を得る、その内、複合接種物は具体的にＣＭ複合細菌である。
【００２８】
実施例１４：実施例１１と異なり、毒性低減改良剤は、複合接種物、フミン酸、シユウ酸
ナトリウム、硫酸第一鉄、非イオン性界面活性剤から調製され、具体的な調製方法として
、
１）非イオン性界面活性剤、シユウ酸ナトリウム、硫酸第一鉄を重量部で２部、５部、６
部の比率で混合した後水に浸漬し、その後８０ｋＨｚで４０分間超音波処理し、また磁気
撹拌機に置き、６０℃で３時間攪拌して、ミセル液を得る、
２）複合接種物、フミン酸、ミセル液を１６：１２：７２の質量％で混合して、毒性低減
改良剤を得る、その内、複合接種物は具体的にＣＭ複合細菌である。
【００２９】
実施例１５：実施例１１と異なり、毒性低減改良剤は、複合接種物、フミン酸、シユウ酸
ナトリウム、硫酸第一鉄、非イオン性界面活性剤から調製され、具体的な調製方法として
、
１）非イオン性界面活性剤、シユウ酸ナトリウム、硫酸第一鉄を重量部で２部、７部、７
部の比率で混合した後水に浸漬し、その後９５ｋＨｚで４５分間超音波処理し、また磁気
撹拌機に置き、７０℃で４時間攪拌して、ミセル液を得る、
２）複合接種物、フミン酸、ミセル液を１７：１３：７０の質量％で混合して、毒性低減
改良剤を得る、その内、複合接種物は具体的にＣＭ複合細菌である。
【００３０】
実施例１６：実施例１４と異なり、非イオン性界面活性剤は、具体的にポリエチレングリ
コール系非イオン性界面活性剤である。
実験例：実施例１〜１６の方法に従いシミュレーションテスト実験を行い、具体的には、
１）測定する土壌サンプルの準備：７〜２０ｃｍの表層農地の土壌を採取し、土壌サンプ
ルを１か月風乾し、研磨して２０メッシュのふるいを通過させ、またふるいにかけた土壌
中に１６種類の多環芳香族炭化水素、ＤＤＴおよびＨＣＢを加え、十分に混均し、その内
、１６種類の多環芳香族炭化水素の含有量が５．９４８０ｍｇ／ｋｇであり、ＤＤＴの含
有量が１．４１５３ｍｇ／ｋｇであり、ＨＣＢの含有量が２．３１２６ｍｇ／ｋｇであり
、１６種類の多環芳香族炭化水素の含有量について、ナフタレン、アセナフチレン、アセ
ナフテン、フルオレン、フェナントレン、アントラセン、フルオランテン、ピレン、ベン
ゾ（ａ）アントラセン、ベンゾ（ｂ）フルオランテン、ベンゾ（ｋ）フルオランテン、ベ
ンゾ（ａ）ピレン、ジベンゾ（ａ,ｈ）アントラセン、ベンゾ（ｇｈｉ）ペリレン、イン
デノ（１,２,３〜ｃｄ）ピレン、クリセンの含有量がそれぞれ０．１５３６ｍｇ／ｋｇ、
０．２１０３ｍｇ／ｋｇ、０．０１６１ｍｇ／ｋｇ、０．１００３ｍｇ／ｋｇ、０．１６
２１ｍｇ／ｋｇ、０．３５１５ｍｇ／ｋｇ、０．１４２６ｍｇ／ｋｇ、０．２１３９ｍｇ
／ｋｇ、０．４５１３ｍｇ／ｋｇ、１．１３２４ｍｇ／ｋｇ、０．６６３１ｍｇ／ｋｇ、
０．７１５４ｍｇ／ｋｇ、０．３６５２ｍｇ／ｋｇ、０．６１４３ｍｇ／ｋｇ、０．１１
２３ｍｇ／ｋｇ、０．５４３６ｍｇ／ｋｇである。
２）組分け実験：上記の測定する土壌サンプルを平均に３分毎１８組に分け、第１組はＦ
ｅｎｔｏｎ酸化法により酸化処理を行い、第２組は通常の電気化学酸化技術により処理し
、第３〜１８組はそれぞれ実施例１〜１６の方法により行処理する、
３）測定たに後計算して、実際の平均除去率を得、具体的には以下の表２に示される：
表２：１８組の試験土壌中の汚染物の除去効果
2022001633.tif 000004
4）１５組の実験土壌中にそれぞれ３種類の同じ数の一般的な野菜種子（油糧種子菜、中
国キャベツ、ホウレンソウ）を植栽し、３０日後有機物、窒素、リン、カリウムおよび植
物の生体重を測定して検出結果を以下の表３に示す：
表３：１８組の試験土壌中の有機物、窒素、リン、カリウムおよび植物生体重の検出結果
2022001633.tif 000005
５）結論：表１と表２の比較から分かるように、本発明は、有毒有機物物によって汚染さ
れた土壌をより良好に修復処理を行い、そして本発明によって修復された有機物汚染土壌
は良い農地の土壌植栽の基本的な特性を有し、植栽野菜の生体重が大幅に増加する。
【図１】
2022001633.tif 000006
【手続補正書】
【提出日】令和3年7月9日(2021.7.9)
【手続補正１】
【補正対象書類名】特許請求の範囲
【補正対象項目名】全文
【補正方法】変更
【補正の内容】
【特許請求の範囲】
【請求項１】
有毒有機物によって汚染された農地の土壌をプレ処理し、改良剤によりプレ処理された土
壌を修復処理することを含み、
前記改良剤は、施肥／成長促進改良剤および毒性低減改良剤を含み、
前記修復処理は、
１）プレ処理された有毒有機物によって汚染された農地の土壌と毒性低減改良剤を１ｋｇ
：４ｇの質量比で混合し、混合しながら水を添加して初回の加湿処理を行い混合物の水分
含有量が１０％に達するようにして、均一に混合した後１０時間静置し、密封して４日間
放置し、処理土壌を得て、毒性低減改良剤は複合接種物とフミン酸を２：１の質量比で混
合したものであるステップと、
２）処理土壌を２次加湿処理し、処理土壌の水分含有量が３０％に達するようにして、そ
の後６ｇ／ｋｇの質量比で施肥／成長促進改良剤を投入し、均一に混合し、密封して２５
℃の温度で５日間放置し、２級処理土壌を得るステップと、
３）２級処理土壌を３次加湿処理し、２級処理土壌の水分含有量が３８％に達するように
して、その後７ｇ／ｋｇで再び施肥／成長促進改良剤を投入し、均一に混合し、そして土
壌を３５分直流処理して、５８℃に昇温し、土壌の水分含有量が１８％に達するようにし
て、４ｇ／ｋｇの質量比で再び毒性低減改良剤を投入し、均一に混合し、密封して２日間
放置し、修復処理を完了するステップと、
を含み、
前記土壌毒性低減改良剤、施肥／成長促進改良剤は、
１）毒性低減改良剤の調製：１０ｇ過酸化カルシウム、４ｇ硫酸第一鉄七水和物、および
３．８ｇシュウ酸カリウムを混合して毒性低減改良剤を得て、前記毒性低減改良剤を有毒
有機汚染土壌の処理に用いる投与量は、土壌１ｋｇあたり１７．８ｇの毒性低減改良剤を
使用するステップと、
２）施肥／成長促進改良剤の調製：天然乾燥ストローを有機材料として使用し、長さ４〜
７ｍｍに粉砕・研磨し、５ｇストロー、０．８９５ｇ窒素、リン、カリウム肥料および０
．１１ｇ尿素を混合して施肥／成長促進改良剤を得て、前記窒素、リン、カリウム肥料中
の各元素の比率は、Ｎ：Ｐ２Ｏ５：Ｋ２Ｏ＝１５：１５：１５であり、前記施肥／成長促
進改良剤を有毒有機汚染土壌の処理に用いる投与量は、土壌１ｋｇあたり６．０１ｇ施肥
／成長促進改良剤を使用するステップと、
含む調製方法によって調製される、
ことを特徴とする有毒有機物によって汚染された農地の土壌の施肥・成長促進・毒性低減
のための統合処理方法。
【手続補正書】
【提出日】令和3年9月12日(2021.9.12)
【手続補正１】
【補正対象書類名】特許請求の範囲
【補正対象項目名】全文
【補正方法】変更
【補正の内容】
【特許請求の範囲】
【請求項１】
有毒有機物によって汚染された農地の土壌をプレ処理し、改良剤によりプレ処理された土
壌を修復処理することを含み、
前記改良剤は、施肥／成長促進改良剤および毒性低減改良剤を含み、
前記修復処理は、
１）プレ処理された有毒有機物によって汚染された農地の土壌と毒性低減改良剤を１ｋｇ
：４ｇの質量比で混合し、混合しながら水を添加して初回の加湿処理を行い混合物の水分
含有量が１０％に達するようにして、均一に混合した後１０時間静置し、密封して４日間
放置し、処理土壌を得て、毒性低減改良剤は接種物とフミン酸を２：１の質量比で混合し
たものであるステップと、
２）処理土壌を２次加湿処理し、処理土壌の水分含有量が３０％に達するようにして、そ
の後６ｇ／ｋｇの質量比で施肥／成長促進改良剤を投入し、均一に混合し、密封して２５
℃の温度で５日間放置し、２級処理土壌を得るステップと、
３）２級処理土壌を３次加湿処理し、２級処理土壌の水分含有量が３８％に達するように
して、その後７ｇ／ｋｇで再び施肥／成長促進改良剤を投入し、均一に混合し、そして土
壌を３５分直流処理してから、５８℃に昇温し、土壌の水分含有量が１８％に達するよう
にして、４ｇ／ｋｇの質量比で再び毒性低減改良剤を投入し、均一に混合し、密封して２
日間放置し、修復処理を完了するステップと、
を含み、
前記土壌毒性低減改良剤、施肥／成長促進改良剤は、
１）毒性低減改良剤の調製：１０ｇ過酸化カルシウム、４ｇ硫酸第一鉄七水和物、および
３．８ｇシュウ酸カリウムを混合して毒性低減改良剤を得て、前記毒性低減改良剤を有毒
有機汚染土壌の処理に用いる投与量は、土壌１ｋｇあたり１７．８ｇの毒性低減改良剤を
使用するステップと、
２）施肥／成長促進改良剤の調製：天然乾燥ストローを有機材料として使用し、長さ４〜
７ｍｍに粉砕・研磨し、５ｇストロー、０．８９５ｇ窒素、リン、カリウム肥料および０
．１１ｇ尿素を混合して施肥／成長促進改良剤を得て、前記窒素、リン、カリウム肥料中
の各元素の比率は、Ｎ：Ｐ２Ｏ５：Ｋ２Ｏ＝１５：１５：１５であり、前記施肥／成長促
進改良剤を有毒有機汚染土壌の処理に用いる投与量は、土壌１ｋｇあたり６．０１ｇ施肥
／成長促進改良剤を使用するステップと、
含む調製方法によって調製される、
ことを特徴とする有毒有機物によって汚染された農地の土壌の施肥・成長促進・毒性低減
のための統合処理方法。
【手続補正書】
【提出日】令和3年9月17日(2021.9.17)
【手続補正１】
【補正対象書類名】特許請求の範囲
【補正対象項目名】全文
【補正方法】変更
【補正の内容】
【特許請求の範囲】
【請求項１】
有毒有機物によって汚染された農地の土壌をプレ処理し、改良剤によりプレ処理された土
壌を修復処理することを含み、
前記改良剤は、施肥／成長促進改良剤および毒性低減改良剤を含み、
前記修復処理は、
１）プレ処理された有毒有機物によって汚染された農地の土壌と毒性低減改良剤を１ｋｇ
：４ｇの質量比で混合し、混合しながら水を添加して初回の加湿処理を行い混合物の水分
含有量が１０％に達するようにして、均一に混合した後１０時間静置し、密封して４日間
放置し、処理土壌を得て、毒性低減改良剤はＣＭ複合細菌とフミン酸を２：１の質量比で
混合したものであるステップと、
２）処理土壌を２次加湿処理し、処理土壌の水分含有量が３０％に達するようにして、そ
の後６ｇ／ｋｇの質量比で施肥／成長促進改良剤を投入し、均一に混合し、密封して２５f
℃の温度で５日間放置し、２級処理土壌を得るステップと、
３）２級処理土壌を３次加湿処理し、２級処理土壌の水分含有量が３８％に達するように
して、その後７ｇ／ｋｇで再び施肥／成長促進改良剤を投入し、均一に混合し、そして土
壌を３５分直流処理してから、５８℃に昇温し、土壌の水分含有量が１８％に達するよう
にして、４ｇ／ｋｇの質量比で再び毒性低減改良剤を投入し、均一に混合し、密封して２
日間放置し、修復処理を完了するステップと、
を含み、
前記土壌毒性低減改良剤、施肥／成長促進改良剤は、
１）毒性低減改良剤の調製：１０ｇ過酸化カルシウム、４ｇ硫酸第一鉄七水和物、および
３．８ｇシュウ酸カリウムを混合して毒性低減改良剤を得て、前記毒性低減改良剤を有毒
有機汚染土壌の処理に用いる投与量は、土壌１ｋｇあたり１７．８ｇの毒性低減改良剤を
使用するステップと、
２）施肥／成長促進改良剤の調製：天然乾燥ストローを有機材料として使用し、長さ４〜
７ｍｍに粉砕・研磨し、５ｇストロー、０．８９５ｇ窒素、リン、カリウム肥料および０
．１１ｇ尿素を混合して施肥／成長促進改良剤を得て、前記窒素、リン、カリウム肥料中
の各元素の比率は、Ｎ：Ｐ２Ｏ５：Ｋ２Ｏ＝１５：１５：１５であり、前記施肥／成長促
進改良剤を有毒有機汚染土壌の処理に用いる投与量は、土壌１ｋｇあたり６．０１ｇ施肥
／成長促進改良剤を使用するステップと、
含む調製方法によって調製される、
ことを特徴とする有毒有機物によって汚染された農地の土壌の施肥・成長促進・毒性低減
のための統合処理方法。
【手続補正書】
【提出日】令和3年10月29日(2021.10.29)
【手続補正１】
【補正対象書類名】特許請求の範囲
【補正対象項目名】全文
【補正方法】変更
【補正の内容】
【特許請求の範囲】
【請求項１】
有毒有機物によって汚染された農地の土壌をプレ処理し、改良剤によりプレ処理された土
壌を修復処理することを含み、
前記改良剤は、施肥／成長促進改良剤および毒性低減改良剤を含み、
前記修復処理は、
１）プレ処理された有毒有機物によって汚染された農地の土壌と前記毒性低減改良剤を１
ｋｇ：４ｇの質量比で混合し、混合しながら水を添加して初回の加湿処理を行い混合物の
水分含有量が１０％に達するようにして、均一に混合した後１０時間静置し、密封して４
日間放置し、処理土壌を得て、前記毒性低減改良剤はＣＭ複合細菌とフミン酸を２：１の
質量比で混合したものであるステップと、
２）処理土壌を２次加湿処理し、処理土壌の水分含有量が３０％に達するようにして、そ
の後６ｇ／ｋｇの質量比で前記施肥／成長促進改良剤を投入し、均一に混合し、密封して
２５℃の温度で５日間放置し、２級処理土壌を得るステップと、
３）２級処理土壌を３次加湿処理し、２級処理土壌の水分含有量が３８％に達するように
して、その後７ｇ／ｋｇで再び前記施肥／成長促進改良剤を投入し、均一に混合し、そし
て土壌を３５分直流処理してから、５８℃に昇温し、土壌の水分含有量が１８％に達する
ようにして、４ｇ／ｋｇの質量比で再び前記毒性低減改良剤を投入し、均一に混合し、密
封して２日間放置し、修復処理を完了するステップと、
を含み、
前記毒性低減改良剤、前記施肥／成長促進改良剤は、
１）前記毒性低減改良剤の調製：１０ｇ過酸化カルシウム、４ｇ硫酸第一鉄七水和物、お
よび３．８ｇシュウ酸カリウムを混合して前記毒性低減改良剤を得て、前記毒性低減改良
剤を有毒有機汚染土壌の処理に用いる投与量は、土壌１ｋｇあたり１７．８ｇの前記毒性
低減改良剤を使用するステップと、
２）前記施肥／成長促進改良剤の調製：天然乾燥ストローを有機材料として使用し、長さ
４〜７ｍｍに粉砕・研磨し、５ｇストロー、０．８９５ｇ窒素、リン、カリウム肥料およ
び０．１１ｇ尿素を混合して前記施肥／成長促進改良剤を得て、前記窒素、リン、カリウ
ム肥料中の各元素の比率は、Ｎ：Ｐ２Ｏ５：Ｋ２Ｏ＝１５：１５：１５であり、前記施肥
／成長促進改良剤を有毒有機汚染土壌の処理に用いる投与量は、土壌１ｋｇあたり６．０
１ｇの前記施肥／成長促進改良剤を使用するステップと、
含む調製方法によって調製される、
ことを特徴とする有毒有機物によって汚染された農地の土壌の施肥・成長促進・毒性低減
のための統合処理方法。